(57)【特許請求の範囲】
【請求項１】
通信システムにおける送信部がネットワークリソースを割り当てる方法であって、
１つのアセットに対する送信特性を示すパラメータ値を含むアセット配信特性（ＡＤＣ）メッセージを生成するステップと、
前記生成されたＡＤＣメッセージを送信するステップと、を有し、
前記生成されたＡＤＣメッセージは、前記生成されたＡＤＣメッセージに対するバージョン値及び有効期間を含み、
前記有効期間の間に前記アセットに対して要求されるネットワークリソースの量及びバッファの量は、前記バージョン値及び前記パラメータ値に基づいて設定され、
予め予約されたネットワークリソースの量のうち、前記アセットに対して要求されるネットワークリソースの量を除外した使用可能なネットワークリソースの量は、他のトラフィックに割り当てられることを特徴とする、ネットワークリソースを割り当てる方法。
【請求項２】
前記送信するステップは、
前記生成されたＡＤＣメッセージを中間ノードに送信するステップであることを特徴とする請求項１に記載のネットワークリソースを割り当てる方法。
【請求項３】
前記ＡＤＣメッセージは、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１に記載のネットワークリソースを割り当てる方法。
【請求項４】
通信システムにおける中間ノードがネットワークリソースを割り当てる方法であって、
１つのアセットに対する送信特性を示すパラメータ値を含む第１のアセット配信特性（ＡＤＣ）メッセージを受信するステップと、ここで、前記第１のＡＤＣメッセージは、前記第１のＡＤＣメッセージに対するバージョン値及び有効期間を含み、
前記第１のＡＤＣメッセージに含まれた第１のバージョン値が第２のＡＤＣメッセージに含まれた第２のバージョン値と異なる場合に、前記有効期間の間に前記第１のＡＤＣメッセージに基づいて前記アセットに対して要求されるネットワークリソースの量及びバッファの量を確認するステップと、ここで、前記第２のＡＤＣメッセージは、前記第１のＡＤＣメッセージに対して直前に受信されたＡＤＣメッセージであり、
予め予約されたネットワークリソースの量のうち、前記確認されたネットワークリソースの量を除外した使用可能なネットワークリソースの量を確認するステップと、
前記確認された使用可能なネットワークリソースの量を他のトラフィックに割り当てるステップと、を有することを特徴とする、ネットワークリソースを割り当てる方法。
【請求項５】
前記第１のＡＤＣメッセージ及び第２のＡＤＣメッセージ各々は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする請求項４に記載のネットワークリソースを割り当てる方法。
【請求項６】
前記第１のＡＤＣメッセージを受信部に送信するステップをさらに有することを特徴とする、請求項４に記載のネットワークリソースを割り当てる方法。
【請求項７】
通信システムにおける受信部がネットワークリソースを割り当てる方法であって、
１つのアセットに対する送信特性を示すパラメータ値を含むアセット配信特性（ＡＤＣ）メッセージを受信するステップと、
前記受信されたＡＤＣメッセージに基づいて前記アセットに対して要求されるバッファの量を確認するステップと、を有し、
前記ＡＤＣメッセージは、前記ＡＤＣメッセージに対するバージョン値及び有効期間を含み、
前記有効期間の間に前記アセットに対して要求されるネットワークリソースの量は、前記バージョン値及び前記パラメータ値に基づいて設定され、
予め予約されたネットワークリソースの量のうち、前記アセットに対して要求されるネットワークリソースの量を除外した使用可能なネットワークリソースの量は、他のトラフィックに割り当てられることを特徴とする、ネットワークリソースを割り当てる方法。
【請求項８】
前記ＡＤＣメッセージは、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項７に記載のネットワークリソースを割り当てる方法。
【請求項９】
通信システムにおいてネットワークリソースを割り当てる送信装置であって、
１つのアセットに対する送信特性を示すパラメータ値を含むアセット配信特性（ＡＤＣ）メッセージを生成する制御部と、
前記生成されたＡＤＣメッセージを送信する送信部とを有し、
前記生成されたＡＤＣメッセージは、前記生成されたＡＤＣメッセージに対するバージョン値及び有効期間を含み、
前記有効期間の間に前記アセットに対して要求されるネットワークリソースの量及びバッファの量は、前記バージョン値及び前記パラメータ値に基づいて設定され、
予め予約されたネットワークリソースの量のうち、前記アセットに対して要求されるネットワークリソースの量を除外した使用可能なネットワークリソースの量は他のトラフィックに割り当てられることを特徴とする、
ネットワークリソースを割り当てる送信装置。
【請求項１０】
前記送信部は、前記生成されたＡＤＣメッセージを中間ノードに送信することを特徴とする、請求項９に記載のネットワークリソースを割り当てる送信装置。
【請求項１１】
前記ＡＤＣメッセージは、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項９に記載のネットワークリソースを割り当てる送信装置。
【請求項１２】
通信システムにおいてネットワークリソースを割り当てる中間ノードであって、
１つのアセットに対する送信特性を示すパラメータ値を含む第１のアセット配信特性（ＡＤＣ）メッセージを受信する受信部と、ここで、前記第１のＡＤＣメッセージは、前記第１のＡＤＣメッセージに対するバージョン値及び有効期間を含み、
前記第１のＡＤＣメッセージに含まれた第１のバージョン値が第２のＡＤＣメッセージに含まれた第２のバージョン値と異なる場合に、前記有効期間の間に前記第１のＡＤＣメッセージに基づいて前記アセットに対して要求されるネットワークリソースの量及びバッファの量を確認し、ここで、前記第２のＡＤＣメッセージは、前記第１のＡＤＣメッセージに対して直前に受信されたＡＤＣメッセージであり、
予め予約されたネットワークリソースの量のうち、前記確認されたネットワークリソースの量を除外した使用可能なネットワークリソースの量を確認し、前記確認された使用可能なネットワークリソースの量を他のトラフィックに割り当てる制御部と、
を有することを特徴とする、ネットワークリソースを割り当てる中間ノード。
【請求項１３】
前記第１のＡＤＣメッセージ及び第２のＡＤＣメッセージ各々は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１２に記載のネットワークリソースを割り当てる中間ノード。
【請求項１４】
通信システムにおいてネットワークリソースを割り当てる受信装置であって、
１つのアセットに対する送信特性を示すパラメータ値を含むアセット配信特性（ＡＤＣ）メッセージを受信する受信部と、
前記受信されたＡＤＣメッセージに基づいて前記アセットに対して要求されるバッファの量を確認する制御部と、を有し、
前記ＡＤＣメッセージは、前記ＡＤＣメッセージに対するバージョン値及び有効期間を含み、
前記有効期間の間に前記アセットに対して要求されるネットワークリソースの量は、前記バージョン値及び前記パラメータ値に基づいて設定され、
予め予約されたネットワークリソースの量のうち、前記アセットに対して要求されるネットワークリソースの量を除外した使用可能なネットワークリソースの量は、他のトラフィックに割り当てられることを特徴とする、ネットワークリソースを割り当てる受信装置。
【請求項１５】
前記ＡＤＣメッセージは、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１４に記載のネットワークリソースを割り当てる受信装置。
【発明の詳細な説明】
【技術分野】
【０００１】
本発明は、通信システムにおけるアセット配信特性（Asset Delivery Characteristics：ＡＤＣ）メッセージを用いてネットワークリソースの使用効率を向上させることができるようにリソースを割り当てる方法及び装置に関する。
【背景技術】
【０００２】
マルチメディアサービスにおいて、ブロードキャストネットワークと通信ネットワークとの両方に接続するハイブリッドネットワークと、送信しようとしているマルチメディアデータ、アプリケーション、及びウェブページのようなファイルを含むマルチメディアデータを提供するためのムービングピクチャーエクスパーツグループ（Moving Picture Experts Group：ＭＰＥＧ）メディアトランスポート（MPEG Media Transport：以下、‘ＭＭＴ’と称する）技術が、最近開発されてきた。
【０００３】
「マルチメディアサービス」との用語は、テレビ電話のような対話型サービスと、ビデオオンデマンド（Video On Demand：ＶｏＤ）サービスのようなストリーミングサービスと、マルチキャスト及びブロードキャストサービスとを意味する。実時間マルチメディアサービスは、サービスタイプによって、対話型サービス、インタラクティブサービス、及びストリーミングサービスに分類できる。また、実時間マルチメディアサービスは、サービスに参加しているユーザの数によって、ユニキャスト、マルチキャスト、及びブロードキャストに分類できる。これらのサービスは、異なる送信要求条件を有している。
【０００４】
ＭＭＴ技術は、ＭＰＥＧベースマルチメディア送信技術に関し、多機能スマートテレビジョン（ＴＶ）、マルチビュー（Multi-view）ＴＶ、Ｎ−スクリーン（N-Screen）デバイスへのブロードキャスト及びマルチメディアサービスのためにＭＰＥＧ−２トランスポートストリーム（Transport Stream：ＴＳ）の代わりに使用され、インターネットプロトコル（Internet Protocol：ＩＰ）基づいて変化するマルチメディアサービス環境で効率的なＭＰＥＧトランスポート技術を提供し得る。
【０００５】
一方、マルチメディアサービスを提供する通信システムは、特定のトラフィックのためのリソースを割り当てる過程において、個別の既存のプロトコル（例えば、ＲＳＶＰ）を使用し、上記個別の既存のプロトコルでは、固定された一定の１つの代表値（例えば、ピークレート）(図１では、ｔ)を用いてリソースを予約していた。しかしながら、実際のメディアトラフィック（例えば、特定の映画の時間によるビットレート）は、時間によって変化し、この場合に、対応するトラフィックを構成するエレメントメディアトラフィックの送信特性の変化をネットワークの中間ノード(例えば、ルータ）が確認することができず、リソースが予約されたトラフィックの内部を通過するメディアに関する情報も確認することができない。
【０００６】
また、ネットワークの中間ノードが特定のトラフィックへの割り当て（すなわち、予約）を行うリソース量は、ネットワークの中間ノードを考慮することなく、メディア送信側又は受信側で任意に決定されていた。この場合、代表値に基づいてリソース（すなわち、帯域幅）予約が実行され、このとき、ネットワークの中間ノードで不必要なリソースの浪費が発生し得る。これを解決するための方法として、図２に示すように、周期的な予約のアップデートを通してリソースの浪費を減少させる方法もあるが、このような方法においては、頻繁な終端間（end-to-end）リソース予約のアップデートの時に、オーバーヘッドの増加という問題が発生する。
【発明の概要】
【発明が解決しようとする課題】
【０００７】
本発明の目的は、少なくとも上述した問題点及び／又は不都合に取り組み、少なくとも以下の利便性を提供することにある。すなわち、本発明の一態様は、通信システムにおけるアセット配信特性（ＡＤＣ）メッセージを用いてネットワークリソース使用効率を向上させることができるようにするリソース割り当て方法及び装置を提供することにある。
【０００８】
本発明の他の態様は、メディアトラフィック変化特性を受信するネットワークの中間ノードが、通信システムがメディア送信サービスを実行する時に、リソースの運用を効率的に実行できるリソース割り当て方法及び装置を提供することにある。
【０００９】
本発明のさらに他の態様は、通信システムにおけるリソース予約アップデートを減少させ、限定されたネットワークリソースを効率的に使用可能とするリソース割り当て方法及び装置を提供することにある。
【課題を解決するための手段】
【００１０】
上記のような目的を達成するために、本発明の実施形態の一態様によれば、通信システムにおける送信部がネットワークリソースを割り当てる方法は、１つのアセットに対する送信特性を示すパラメータ値を含むアセット配信特性（Asset Delivery Characteristics：ＡＤＣ）メッセージを生成するステップと、上記生成されたＡＤＣメッセージを送信するステップとを有し、上記生成されたＡＤＣメッセージは、上記アセットに対して周期的に又は非周期的にアップデートされることを特徴とする。
【００１１】
本発明の実施形態の他の態様によれば、通信システムにおける中間ノードがネットワークリソースを割り当てる方法は、１つのアセットに対する送信特性を示すパラメータ値を含むＡＤＣメッセージを受信するステップと、上記ＡＤＣメッセージが前に受信されたＡＤＣメッセージと異なる場合に、上記ＡＤＣメッセージに基づいて上記ＡＤＣメッセージで要求されるネットワークリソースの量を確認するステップと、予め予約されたネットワークリソースの量と上記確認されたネットワークリソースの量とを比較して使用可能なネットワークリソースの量を推定するステップと、上記推定された使用可能なネットワークリソースの量を他のトラフィックに割り当てるステップとを有し、上記ＡＤＣメッセージは、上記１つのアセットに対して周期的に又は非周期的に受信されることを特徴とする。
【００１２】
本発明の実施形態のさらに他の態様によれば、通信システムにおける受信部がネットワークリソースを割り当てる方法は、１つのアセットに対する送信特性を示すパラメータ値を含む少なくとも１つのＡＤＣメッセージを受信するステップと、上記受信された少なくとも１つのＡＤＣメッセージに基づいて上記アセットに対するバッファの量を推定するステップとを有し、１つのＡＤＣメッセージは、上記１つのアセットに対して周期的に又は非周期的に受信されることを特徴とする。
【００１３】
本発明の実施形態のさらなる他の態様によれば、通信システムにおける送信部がネットワークリソースを割り当てる装置は、１つのアセットに対する送信特性を示すパラメータ値を含むＡＤＣメッセージを生成する制御部と、上記生成されたＡＤＣメッセージを送信する送信部とを有し、上記生成されたＡＤＣメッセージは、上記アセットに対して周期的に又は非周期的にアップデートされることを特徴とする。
【００１４】
本発明のさらにまた他の態様によれば、通信システムにおける中間ノードがネットワークリソースを割り当てる装置は、１つのアセットに対する送信特性を示すパラメータ値を含むＡＤＣメッセージを受信する受信部と、上記ＡＤＣメッセージが前に受信されたＡＤＣメッセージと異なる場合に、上記ＡＤＣメッセージに基づいて上記ＡＤＣメッセージで要求されるネットワークリソースの量を確認し、予め予約されたネットワークリソースの量と上記確認されたネットワークリソースの量とを比較して使用可能なネットワークリソースの量を推定し、上記推定された使用可能なネットワークリソースの量を他のトラフィックに割り当てる制御部とを有し、上記ＡＤＣメッセージは、上記１つのアセットに対して周期的に又は非周期的に受信されることを特徴とする。
【００１５】
本発明のさらにその他の態様によれば、通信システムにおける受信部がネットワークリソースを割り当てる装置は、１つのアセットに対する送信特性を示すパラメータ値を含む少なくとも１つのＡＤＣメッセージを受信する受信部と、上記受信された少なくとも１つのＡＤＣメッセージに基づいて上記アセットに対するバッファの量を推定する制御部とを有し、１つのＡＤＣメッセージは、上記１つのアセットに対して周期的に又は非周期的に受信されることを特徴とする。
【００１６】
本発明の実施形態の上述した及び他の様相、特徴、及び利点は、添付の図面が併用された以下の詳細な説明から、より一層明らかになるだろう。
【発明の効果】
【００１７】
本発明の実施形態によると、メディアトラフィックの変化特性をＡＤＣメッセージを用いてネットワーク中間ノードが予め認識できるように伝達して効率的なリソース運用が可能となることにより、ＵＨＤコンテンツのように、トラフィックの１つが消費するネットワークリソースの量が大きい環境においてネットワークリソースの浪費を減少させることができる。
【００１８】
本発明の実施形態の上述した及び他の様相、特徴、及び利点は、添付の図面が併用された以下の詳細な説明から、より一層明らかになるだろう。
【図面の簡単な説明】
【００１９】
【図１】従来の通信システムにおけるネットワークリソースの使用を示す図である。
【図２】従来の通信システムにおけるネットワークリソースの使用を示す図である。
【図３】本発明の実施形態による通信システムで適用されるＭＭＴフローの構成を示す図である。
【図４Ａ】本発明の実施形態による送信部が１つのアセット当たりの１つのＡＤＣメッセージを送信する場合を示す図である。
【図４Ｂ】本発明の実施形態による送信部が１つのアセット当たりの１つのＡＤＣメッセージを送信する場合を示す図である。
【図５Ａ】本発明の実施形態による送信部がＡＤＣメッセージをアップデートする方法を示す図である。
【図５Ｂ】本発明の実施形態による送信部がＡＤＣメッセージをアップデートする方法を示す図である。
【図６】本発明の実施形態による送信部がサブＡＤＣ（Sub-ADC）形態でＡＤＣメッセージを送信する場合を示す図である。
【図７】本発明の実施形態による通信システムにおける送信部の構成を示す図である。
【図８】本発明の実施形態による通信システムにおける中間ノードの構成を示す図である。
【図９】本発明の実施形態による通信システムにおける受信部の構成を示す図である。
【図１０】本発明の第１の実施形態による通信システムの送信部がリソースを割り当てる方法を示すフローチャートである。
【図１１】本発明の第１の実施形態による通信システムの中間ノードがリソースを割り当てる方法を示すフローチャートである。
【図１２】本発明の第１の実施形態による通信システムの受信部がリソースを割り当てる方法を示すフローチャートである。
【図１３】本発明の第２の実施形態による通信システムの送信部がリソースを割り当てる方法を示すフローチャートである。
【図１４】本発明の第２の実施形態による通信システムの中間ノードがリソースを割り当てる方法を示すフローチャートである。
【図１５】本発明の第２の実施形態による通信システムの受信部がリソースを割り当てる方法を示すフローチャートである。
【図１６】本発明の第２の実施形態に従ってサブＡＤＣを使用する場合のリソース節減効果を示す図である。
【発明を実施するための形態】
【００２０】
以下、本発明の様々な実施形態を、添付図面を参照しつつ詳細に説明する。本発明の下記の説明において、明瞭性と簡潔性の観点から、本発明に関連した公知の機能や構成に関する具体的な説明が本発明の要旨を不明瞭にすると判断される場合には、その詳細な説明を省略する。
【００２１】
本発明の主な要旨は、アセット配信特性（Asset Delivery Characteristics：ＡＤＣ）メッセージを用いてネットワークリソース使用効率を向上できるようにリソースを割り当てるためのものにある。特に、本発明の実施形態において、送信部（Sending Entity）は、受信部（Receiving Entity）及びネットワークの中間に位置する中間ノードにＡＤＣメッセージを送信し、受信部は、受信されたＡＤＣメッセージに基づいて時間に沿って受信部内のメディア別バッファ量を調節する。ネットワーク上の中間ノードであるメディアアウェアネットワークエンティティ（Media Aware Network Entity：ＭＡＮＥ）は、フローごとの（Per-flow）サービスを受信部に提供するためにネットワークリソース予約プロトコルを通して一定量のネットワークリソースを対応するフローに割り当てる。また、送信部が受信部に送信するＭＭＴパケットからＡＤＣメッセージを抽出し、対応するＡＤＣメッセージから特定のＭＭＴフローを通して流れるアセットの現在の送信特性を示す値を抽出し、ネットワークリソース予約プロトコルを通して代表値として予約されたリソースの量とＡＤＣメッセージを通して確認されたメディア別に実際に必要なリソースの量とを比較し、使用可能なリソースの量を確認することにより、これを他のトラフィックのために割り当てる。このような本発明の実施形態に従って、通信システムにおいて効率的にネットワークリソースを活用することができる。
【００２２】
このために、本発明の実施形態による通信システムにおけるリソースを割り当てる方法及び装置について詳細に説明する。
【００２３】
図３は、本発明の実施形態による通信システムで適用されるＭＭＴフローの構成を示す図である。
【００２４】
図３を参照すると、ＭＭＴフローにおいて、ＡＤＣメッセージは、アセット（例えば、ビデオ、オーディオ、テキスト、ファイル）の送信特性を示す情報（以下、ＡＤＣシグナリング情報）を含む。そして、１つのアセットに対するＡＤＣメッセージは、複数のメディアプロセッシングユニット（Media Processing Unit：ＭＰＵ）を含む。
【００２５】
ＭＰＥＣ  ＭＭＴ  Ａｍｄ１．に定義されたＡＤＣメッセージのフォーマットは、下記の表１に示すように構成される。
【００２６】
【表１】
0006537525.tif 000002
表１において、シンタックスは、次の表２のように定義される。
【００２７】
【表２】
0006537525.tif 000003
0006537525.tif 000004
図４は、本発明の実施形態による送信部が１つのアセット当たりの１つのＡＤＣメッセージを送信する例（One ADC per One Asset）を示す図である。ここで、図４Ａは、送信部がＡＤＣメッセージをアップデートしない場合を示し、図４Ｂは、送信部が継続してＡＤＣメッセージをアップデートする場合を示す。
【００２８】
図４Ａに示すように、ＭＰＥＧ  ＭＭＴ規格において、１つのアセットには、１個のＡＤＣメッセージ４０１だけがマッピングされ、対応するＡＤＣメッセージ４０１内の各種配信（Delivery）関連情報（すなわち、ＡＤＣシグナリング情報）は、対応するアセットの送信特性を意味する。ＡＤＣシグナリング情報は、送信特性を示すパラメータ値を含み、パラメータ値は、持続送信速度（sustainable_rate）、バッファサイズ（buffer_size）、最大送信速度（peak_rate）、最大メディアフラグメントユニット（Media Fragment Unit：ＭＦＵ）サイズ（max_MFU_size）、及び１つのＭＦＵ期間（MFU_period）のうちの少なくとも１つを含む。max_MFU_sizeは、peak_rateとMFU_periodとの積から計算される。
【００２９】
このとき、受信部が１つのアセットに対して１つのＡＤＣメッセージを受信する場合に、１つのＡＤＣメッセージに含まれた固定代表値だけを使用するので、時間的に変化するするアセットの送信特性を効率的に反映することには無理がある。
【００３０】
このために、図４Ｂに示すように、メディアを送信する送信部は、１つのアセットに対して予め定められた間隔ごとに現在のアセットの送信特性に対応するＡＤＣシグナリング情報をアップデートし、中間ノードに送信する。図４Ｂの例のように、４個の間隔が予め定められた場合には、送信部は、間隔ごとにＡＤＣシグナリング情報をアップデートし、第１〜第４のＡＤＣメッセージ４３１〜４３５を中間ノードに送信する。このとき、送信部は、第１〜第４のＡＤＣメッセージ４３１〜４３５の各々にＡＤＣシグナリング情報が変更されたことを通知するバージョン情報をタギングした後に、第１〜第４のＡＤＣメッセージ４３１〜４３５を送信する場合に、現在の規格を外れない範囲内で効率的な送信が可能である。
【００３１】
このとき、中間ノードがより正確なメディア送信特性を示すパラメータ値を認識するためには、ＡＤＣメッセージのバージョン情報を確認し、特定のアセットに対してＡＤＣメッセージのバージョンが変更された場合には、対応するアセットの送信特性も変更されたことを確認し、現在のネットワークリソース使用ステータス情報をアップデートする動作を実行できる。
【００３２】
図５は、本発明の実施形態による送信部がＡＤＣメッセージをアップデートする方法を示す図である。ここで、図５Ａは、送信部が可変的にＡＤＣメッセージをアップデートする場合を示し、図５Ｂは、送信部が一定の周期でＡＤＣメッセージをアップデートする場合を示す。
【００３３】
図５を参照すると、ＡＤＣメッセージは、可変時間単位又は固定時間単位でアップデートが可能である。
【００３４】
図５Ａに示すように、可変時間単位でＡＤＣメッセージをアップデートする場合には、送信部は、ネットワーク特性が急激に変わる時に、意味ある瞬間ごとにカットオフしてＡＤＣメッセージをアップデートすることにより第１〜第４のＡＤＣメッセージ５０１〜５０７を伝達するので、より正確なＡＤＣシグナリング情報を含むＡＤＣメッセージを中間ノードに提供できるが、対応するＡＤＣシグナリング情報は、有効な時間が一定でなく、同様に、一定の有効時間を有しない他のアセットのＡＤＣシグナリング情報までも考慮して剰余リソースを計算しなければならないので、複雑度が増加する。また、意味あるＡＤＣシグナリング情報の生成により、ＡＤＣメッセージの有効な期間が短くなりすぎることがあり、この場合に、リソースは、他のフローに割り当てられないこともある。
【００３５】
図５Ｂに示すように、ＡＤＣメッセージを固定された等時間間隔単位でアップデートする場合には、送信部が、ネットワーク特性が急激に変わる時のような、意味ある瞬間ごとにカットオフしてＡＤＣメッセージをアップデートし、第１〜第４のＡＤＣメッセージ５３１〜５３７を伝達することが非常に難しくなることにより、より正確なＡＤＣシグナリング情報を含むＡＤＣメッセージを中間ノードに提供することが困難となる。しかしながら、ＡＤＣシグナリング情報が有効である時間は固定された一定値であり、また、一定でない状況を有する他のアセットのＡＤＣ情報までも考慮して剰余リソースの計算を行なわなければならないので、複雑度が増加する。また、意味あるＡＤＣシグナリング情報の生成によりＡＤＣメッセージの有効期間が短くなりすぎることがあり、この場合には、リソースが、他のフローに割り当てられないことがある。
【００３６】
図６は、本発明の実施形態による送信部がサブＡＤＣ（Sub-ADC）形態で１つのＡＤＣメッセージを送信する例（１つのアセット当たりのサブＡＤＣ）を示す図である。
【００３７】
図６を参照すると、ＰＥＧ  ＭＭＴ標準で現在定義されていないが、送信部は、サブＡＤＣの概念を通して特定のアセットの全送信特性を明示するＡＤＣメッセージ６０１を送信する。このようなＡＤＣメッセージ６０１は、対応する全アセットの特性を明示しているので、ＭＡＮＥルータ又は受信部に対応するメディアのトラフィックがどんな形態で受信されるかに関する情報を予め通知でき、これを通して後でトラフィックの予測が可能である。
【００３８】
以下、図７乃至図９を参照して、本発明の実施形態による通信システムにおけるＭＭＴパケットを送信する送信部と、ＭＭＴパケットを受信する受信部と、送信部と受信部との間のパケットを伝達し、パケット配信のためのネットワークリソースを割り当てる中間ノードについて説明する。
【００３９】
図７は、本発明の実施形態による通信システムにおける送信部の構成を示す図である。
【００４０】
図７を参照すると、送信部は、ネットワークリソース予約処理部７０１、ＡＤＣ情報収集部７０３、ＡＤＣメッセージ処理部７０５、及びＭＭＴパケット送信部７０７を含む。ここで、ネットワークリソース予約処理部７０１、ＡＤＣ情報収集部７０３、及びＡＤＣメッセージ処理部７０５は、１つの制御ユニット７１０に含まれる。
【００４１】
ＡＤＣ情報収集部７０３は、１つのアセットごとに定義されたメディア（アセット）の送信特性を示すパラメータ値を含むＡＤＣシグナリング情報を収集する。ネットワークリソース予約処理部７０１は、ＭＭＴで定義していない個別のプロトコルで、ＭＭＴトラフィック送信のためにネットワークリソースを予約する。ＭＭＴパケット送信部７０７は、アセット、ＡＤＣシグナリング情報、ＡＤＣメッセージのバージョン情報、及びＡＤＣメッセージの有効期間のうちの少なくとも１つを含むＡＤＣメッセージをＭＭＴパケット化することにより受信部に送信する。
【００４２】
特に、本発明の実施形態に従って、ＡＤＣメッセージ処理部７０５は、収集されたＡＤＣシグナリング情報をＭＡＮＥ及び受信部に送信する前に修正及び加工を行う。すなわち、ＡＤＣメッセージ処理部７０５は、アセットあたり１つのＡＤＣメッセージのみが許容される場合に、アセットを１つずつ解析する方法か、又は、収集したＡＤＣシグナリング情報を通して、アセットの構成単位であるＭＰＵ単位の送信特性値を抽出するか、又は、対応するアセットの時間による送信特性を抽出し、現在送信されているＭＰＵの送信特性を示す値、又は、所定の単位（例えば、特定のＭＰＵ単位、所定の固定された時間単位（ａ）、代表性が高い可変時間単位（ａ））毎の現在時刻を特定する。ＡＤＣメッセージ処理部７０５は、送信特性を示す値（すなわち、ＡＤＣシグナリング情報）、ＡＤＣメッセージのバージョン情報、及びＡＤＣメッセージの有効期間を含むＡＤＣメッセージを構成する。
【００４３】
ＡＤＣメッセージ処理部７０５は、サブＡＤＣが許容される場合に、特定のアセットの時間又はＭＰＵ単位毎にマッピングされた送信特性を示す値のリストをＡＤＣメッセージに含ませて同時に送信する。具体的には、ＡＤＣメッセージ処理部７０５は、等時間間隔毎にコンポーネントアセット送信特性を特定するサブＡＤＣ情報を生成し、対応するサブＡＤＣ情報により明示される時間期間情報をサブＡＤＣ情報ごとにタギングし、そのリストを１つのフルＡＤＣメッセージで構成する。他の実施形態において、ＡＤＣメッセージ処理部７０５は、情報の意味性を増加する必要があれば、意味のある一定でない時間間隔（非周期）毎にコンポーネントアセット送信特性を特定するサブＡＤＣ情報を生成し、対応するサブＡＤＣ情報により明示される時間期間情報をサブＡＤＣ情報ごとにタギングし、そのリストを１つのフルＡＤＣメッセージで構成する。他の実施形態において、ＡＤＣメッセージ処理部７０５は、ＭＰＵ又はＭＰＵの等間隔毎に送信特性を明示するサブＡＤＣ情報を生成し、対応するサブＡＤＣ情報が何番目のＭＰＵ又は何番目のＭＦＵに関する情報であるかについて、サブＡＤＣ情報ごとにタギングし、そのリストを１つのフルＡＤＣメッセージで構成する。
【００４４】
図８は、本発明の一実施形態による通信システムにおける中間ノードの構成を示す図である。
【００４５】
図８を参照すると、中間ノードは、ネットワークリソース予約処理部８０１、ネットワークリソース割り当て部８０３、リソースステータスモニタリング部８０５、動作リソース管理部８０７、ＡＤＣメッセージ検出部８０９、及びＭＭＴパケット受信部８１１を含む。ここで、ネットワークリソース予約処理部８０１、ネットワークリソース割り当て部８０３、リソースステータスモニタリング部８０５、動作リソース管理部８０７、及びＡＤＣメッセージ検出部８０９は、１つの制御ユニット８１０で構成される。
【００４６】
ＭＭＴパケット受信部８１１は、送信部からＭＭＴパケットを受信する。
【００４７】
本発明の実施形態に従って、ＡＤＣメッセージ検出部８０９は、受信されたＭＭＴパケットからＡＤＣシグナリング情報を含むＡＤＣメッセージを検出する。例えば、ＡＤＣメッセージ検出部８０９は、ＭＭＴパケットのヘッダーのタイプフィールドを通して対応するメッセージがＡＤＣメッセージであるか否かを確認し、対応するメッセージがＡＤＣメッセージ内のmessage_id情報に基づいてＡＤＣシグナリング情報を含むか否かを確認する。
【００４８】
ＡＤＣメッセージ検出部８０９は、受信されたＭＭＴパケットを確認した結果、各アセットに１つのＡＤＣメッセージのみを含む場合に、受信されたＡＤＣメッセージ内のバージョン情報を通して、対応するＡＤＣメッセージが現在のトラフィック状況を反映するように新たにアップデートされたＡＤＣメッセージであるか否かを確認し、新たにアップデートされたＡＤＣメッセージである場合に、新たなＡＤＣシグナリング情報に基づいて、対応するアセットの送信特性を示す値をアップデートする。ＡＤＣメッセージ検出部８０９は、アセット毎に実際に必要とされるリソースの総量であるＴ’を計算し、対応するＭＭＴフローに割り当てられたが実際には使用されない剰余リソースの量である|Ｔ−Ｔ'|を計算し、剰余リソースの量が所定のレベル（しきい）値を超過する場合には、他のトラフィックに割り当てても過負荷とならないと判定し、他のフローのためのリソース割り当て候補の対象として含ませる。この後に、ＡＤＣメッセージ検出部８０９は、例えば、ＡＤＣメッセージ内の有効期間情報又はＡＤＣメッセージが明示するＭＰＵシーケンス番号を用いて、特定のバージョンのＡＤＣシグナリング情報がどのくらいの間有効であるかを判定し、その有効期間中に剰余リソースを他の用途で活用しても大きな問題がなく、十分に意味があると判定する場合には、剰余リソースの量を動的リソース管理部８０７に伝達することにより他のフローのために活用するようにする。
【００４９】
他方、ＡＤＣメッセージ検出部８０９は、受信されたＭＭＴパケットを確認した結果、アセット毎にサブＡＤＣが許容される場合に、サブＡＤＣの時間期間情報又はＭＰＵ／ＭＦＵとのマッピング情報を通して、時間期間毎に又はＭＰＵ／ＭＦＵに従って必要とされる実際のリソース量を導出する。ＡＤＣメッセージ検出部８０９は、ＡＤＣメッセージからマッピングされたアセット毎に必要とされる実際のリソース量をすべて加算することにより、時間期間別に又はＭＰＵ／ＭＦＵに従う実際のリソース総合計Ｔ'を計算する。ＡＤＣメッセージ検出部８０９は、現在のＭＭＴフローに割り当てられたＴだけのリソースの中でアイドルリソース（Ｔ−Ｔ'）を時間期間毎に又はＭＰＵ／ＭＦＵに従って導出した後に、剰余リソースの量を動的リソース管理部８０７に伝達することにより他のフローのために活用するようにする。
【００５０】
リソースステータスモニタリング部８０５は、中間ノードのネットワークリソース使用ステータスをモニタリングし、ネットワークリソース割り当て部８０３及び動的リソース管理部８０７に伝達する。
【００５１】
動的リソース管理部８０７は、リソースステータスモニタリング部８０５から中間ノード（例えば、ルータ）のネットワークリソースの使用ステータスを受信し、受信されたネットワークリソースの使用ステータスに基づいて、中間ノードを通過するメディアトラフィックの特性を分析することにより使用可能なネットワークリソースを確認する。ネットワークリソース割り当て部８０３は、中間ノードの使用可能なネットワークリソースを他のトラフィックに割り当てる。
【００５２】
ネットワークリソース予約処理部８０１は、ＭＭＴで定義していない個別のプロトコルでＭＭＴトラフィック送信のためにネットワークリソースを予約する。
【００５３】
図９は、本発明の実施形態による通信システムにおける受信部の構成を示す図である。
【００５４】
図９を参照すると、受信部は、ネットワークリソース予約処理部９０１、バッファ管理部９０３、動的リソース管理部９０５、ＡＤＣメッセージ検出部９０７、及びＭＭＴパケット受信部９０９を含む。ここで、ネットワークリソース予約処理部９０１、バッファ管理部９０３、動的リソース管理部９０５、及びＡＤＣメッセージ検出部９０７は、１つの制御ユニット９１０で構成される。
【００５５】
ＭＭＴパケット受信部９０９は、中間ノードからＭＭＴパケットを受信する。ＡＤＣメッセージ検出部９０７は、受信されたＭＭＴパケットからＡＤＣシグナリング情報を含むＡＤＣメッセージを検出する。このとき、ＡＤＣメッセージ検出部９０７の動作は、中間ノードのＡＤＣメッセージ検出部８０９と類似した方法でＡＤＣメッセージを検出するので、その詳細な説明を省略する。
【００５６】
動的リソース管理部９０５は、ＡＤＣメッセージ検出部９０７からＡＤＣシグナリング情報を受信し、受信されたＡＤＣシグナリング情報による送信特性を考慮してネットワークリソース要請を効率的にアップデートする。動的リソース管理部９０５は、ＡＤＣシグナリング情報を通して、全ＭＭＴフローでなく、ＭＭＴフロー内のアセット単位毎に受信部で確保しなければならないバッファの量を決定し、決定されたバッファの量に関する情報をネットワークリソース予約処理部９０１及びバッファ管理部９０３に伝達する。
【００５７】
ネットワークリソース予約処理部９０１は、ＭＭＴで定義していない個別のプロトコルでＭＭＴトラフィックの送信のためにネットワークリソースを予約し処理する。
【００５８】
バッファ管理部９０３は、動的リソース管理部９０５から受信されたＭＭＴフロー内のアセット単位毎に必要なバッファの量に関する情報に基づいて、バッファの量を確保し、時間／ＭＰＵに従ってデータを管理する。
【００５９】
以下では、図１０乃至図１２を参照して、本発明の第１の実施形態による通信システムにおいて、１つのアセット当たり１つのＡＤＣメッセージを送信する場合の送信部、中間ノード、及び受信部により実行される動作について説明する。
【００６０】
図１０は、本発明の第１の実施形態による通信システムにおける１つのアセット当たりの１つのＡＤＣメッセージを送信する場合に送信部がネットワークリソースを割り当てる方法を示すフローチャートである。
【００６１】
図１０を参照すると、送信部は、ステップ１００１において、送信される対応するアセットを確認する。送信部は、ステップ１００３において、対応するアセットのＡＤＣメッセージのアップデートモードが周期的なアップデートモードであるか、又はＭＰＵ基盤モードであるか、又は非周期的なアップデートモードであるかを判定する。
【００６２】
送信部は、ステップ１００５において、ＡＤＣアップデートモードが周期的なアップデートモードである場合に、等時間間隔毎にアセット送信特性を示す値でＡＤＣメッセージをアップデートし、ステップ１００７において、現在のＡＤＣメッセージがどのくらいの間有効であるかを示す有効期間をＡＤＣメッセージ内にアップデートする。
【００６３】
送信部は、ステップ１００９において、ＡＤＣアップデートモードがＭＰＣ基盤モードである場合に、所定のＭＰＵグループの送信特性を示す値でＡＤＣメッセージをアップデートし、ステップ１０１０において、現在のＡＤＣメッセージが何番目のＭＰＵシーケンスまで有効な情報であるかをＡＤＣメッセージ内にアップデートする。送信部は、ＡＤＣアップデートモードが非周期的なアップデートモードである場合に、ＡＤＣシグナリング情報の有意味の増加のために必要とされる時に、ステップ１０１３において、意味ある時間間隔（非周期性）毎にアセット送信特性を示す値でＡＤＣメッセージをアップデートし、ステップ１０１５において、現在のＡＤＣメッセージがいつまで有効な情報であるかを示す有効期間をＡＤＣメッセージ内にアップデートする。
【００６４】
送信部は、ステップ１０１７において、ＡＤＣメッセージのバージョン情報をアップデートし、ステップ１０１９において、アップデートされたＡＤＣメッセージを中間ノードに送信する。
【００６５】
図１１は、本発明の第１の実施形態による通信システムにおける１つのアセット当たり１つのＡＤＣメッセージを送信する場合に中間ノードがリソースを割り当てる方法を示すフローチャートである。
【００６６】
図１１を参照すると、中間ノードは、ステップ１１０１において、特定のＭＭＴフローに対するリソース割り当て要請を受信し、ステップ１１０３において、ＴだけのリソースをＭＭＴフローに割り当てる。
【００６７】
中間ノードは、ステップ１１０５において、ネットワークリソース節減モードを適用するか否かを判定し、ステップ１１０７において、ネットワークリソース節減モードを適用する場合に、ＭＭＴフローに対するパケット検査を実行する。中間ノードは、ステップ１１０９において、ＭＭＴフローに属しているアセット（Ｍ個）及びＡＤＣメッセージ（Ｎ個）を発見し、リストを作成し、ステップ１１１１において、特定のＡＤＣメッセージ（ｎ）がどのアセット（ｍ）のためのＡＤＣシグナリング情報を含むかについてのマッピング（Ｋ個）を行った後にリストを管理する。
【００６８】
中間ノードは、ステップ１１１３において、管理しているリストでバージョンが変更されたＡＤＣメッセージが存在するか否かを確認し、ステップ１１１５において、バージョンが変更されたＡＤＣメッセージが存在する場合には、バージョンが変更された各ＡＤＣメッセージからマッピングされたアセット毎に実際に必要とされるリソースの量をアップデートする。
【００６９】
中間ノードは、ステップ１１１７において、バージョンが変更されたＡＤＣメッセージが存在しない場合には、ＡＤＣメッセージからマッピングされたアセット毎に必要とされる実際のリソースの量をすべて加算することにより、実際に必要とされるリソース総合計Ｔ'を計算する。中間ノードは、ステップ１１１９において、アイドルリソースの量が所定の基準値以上であるか否かを判定し、ステップ１１２１において、アイドルリソースの量が所定の基準値以上である場合には、ＡＤＣメッセージの対応するバージョンのＭＰＵシーケンス又はＡＤＣメッセージの対応するバージョンの有効期間からＡＤＣシグナリング情報が十分な期間有効であるか否かを確認する。中間ノードは、ステップ１１２３において、現在のバージョンのＡＤＣシグナリング情報が今後も十分な期間有効であるか否かを判定し、ステップ１１２５において、現在のバージョンのＡＤＣシグナリング情報が今後も十分な期間有効である場合には、ＭＭＴフローに割り当てられたＴだけのリソースの中で実際に必要な量であるＴ'だけを減算したアイドルリソース（Ｔ−Ｔ'）を他のＭＭＴフローにリソースを割り当てる時に使用する。
【００７０】
図１２は、本発明の第１の実施形態による通信システムにおける１つのアセット当たり１つのＡＤＣを送信する場合に受信部がリソースを割り当てる方法を示すフローチャートである。
【００７１】
図１２を参照すると、受信部は、ステップ１２０１において、アセット毎にＡＤＣメッセージを受信し、ステップ１２０３において、ＡＤＣメッセージのバージョンが変更されたか否かを判定する。受信部は、ステップ１２０７において、受信されたアセット当たりのＡＤＣメッセージでＡＤＣメッセージのバージョンが変更される場合には、受信されたＡＤＣメッセージに含まれたＡＤＣシグナリング情報からアセット当たりに受信部により使用されるバッファの量を確保する。他方、受信部は、ステップ１２０５において、受信されたアセット当たりのＡＤＣメッセージでＡＤＣメッセージのバージョンが変更されない場合には、ＡＤＣメッセージに含まれたＡＤＣシグナリング情報がアップデート（すなわち、再受信）されたので、既存のＡＤＣシグナリング情報を受信されたＡＤＣシグナリング情報にアップデートする。
【００７２】
以下、図１３乃至図１５を参照して、本発明の第２の実施形態による通信システムにおけるサブＡＤＣ形態でＡＤＣメッセージを送信する場合に送信部がネットワークリソースを割り当てる方法を示すフローチャートである。
【００７３】
図１３を参照すると、送信部は、ステップ１３０１において、サブＡＤＣ生成モードを判定する。
【００７４】
送信部は、判定の結果、このモードが周期的基盤サブＡＤＣ生成モードである場合に、ステップ１３０３において、等時間間隔毎にコンポーネントアセット送信特性を明示するサブＡＤＣシグナリング情報を生成し、ステップ１３０５において、サブＡＤＣシグナリング情報が明示する時間期間情報をサブＡＤＣシグナリング情報ごとにタギングする。
【００７５】
送信部は、ステップ１３０７において、ＭＰＵ基盤サブＡＤＣモードである場合に、ＭＰＵ又はＭＦＵ毎に送信特性を明示するサブＡＤＣシグナリング情報を生成し、ステップ１３０９において、サブＡＤＣシグナリング情報が何番目のＭＰＵ又はＭＦＵに関する情報であるかをサブＡＤＣシグナリング情報ごとにタギングする。
【００７６】
送信部は、非周期的基盤サブＡＤＣモードである場合には、ＡＤＣシグナリング情報の有意味の増加のために必要とされる時に、ステップ１３１１において、意味ある時間間隔（非周期性）毎にアセット送信特性を明示するサブＡＤＣシグナリング情報を生成し、ステップ１３１３において、サブＡＤＣシグナリング情報により明示される時間期間情報をサブＡＤＣシグナリング情報ごとにタギングする。
【００７７】
送信部は、ステップ１３１５において、サブＡＤＣシグナリング情報リストを構成することによりフルＡＤＣメッセージを構成し、ステップ１３１７において、構成されたフルＡＤＣメッセージを受信部に送信する。
【００７８】
図１４は、本発明の第２の実施形態による通信システムにおいてサブＡＤＣ形態でＡＤＣメッセージを送信する場合に中間ノードがリソースを割り当てる方法を示すフローチャートである。
【００７９】
図１４を参照すると、中間ノードは、ステップ１４０１において、特定のＭＭＴフローに対するリソース割り当て要請を受信し、ステップ１４０３において、ＴだけのリソースをＭＭＴフローに割り当てる。
【００８０】
中間ノードは、ステップ１４０５において、ネットワークリソース節減モードを適用するか否かを判定し、ステップ１４０７において、ネットワークリソース節減モードを適用する場合に、ＭＭＴフローに対するパケット検査を実行する。中間ノードは、ステップ１４０９において、ＭＭＴフローに属するアセット（Ｍ個）及びＡＤＣメッセージ（Ｎ個）を発見し、リストを作成し、ステップ１４１１において、特定のＡＤＣメッセージ（ｎ）がどのアセット（ｍ）のためのＡＤＣシグナリング情報を含むかについてのマッピング（Ｋ個）を行った後に、リストを管理する。
【００８１】
中間ノードは、ステップ１４１３において、サブＡＤＣシグナリング情報の時間期間情報又はＭＰＵ／ＭＦＵとのマッピング情報を通して、時間期間毎に又はＭＰＵ／ＭＦＵに従って必要とされる実際のリソースの量を導出する。中間ノードは、ステップ１４１５において、ＡＤＣメッセージからマッピングされたアセット毎に必要とされる実際のリソースの量をすべて加算することにより、時間期間毎に又はＭＰＵ／ＭＦＵに従って実際に必要とされるリソースの量に対する総合計Ｔ'を計算する。
【００８２】
中間ノードは、ステップ１４１７において、ＭＭＴフローに割り当てられたＴだけのリソースの中でアイドルリソース（Ｔ−Ｔ'）を時間期間毎に又はＭＰＵ／ＭＦＵに従って導出した後に、瞬間ごと又はリソースを他のＭＭＴフローに割り当てるために使用する。
【００８３】
図１５は、本発明の第２の実施形態による通信システムにおいてサブＡＤＣ形態でＡＤＣを送信する場合に受信部がリソースを割り当てる方法を示すフローチャートである。
【００８４】
図１５を参照すると、受信部は、ステップ１５０１において、アセット毎にＡＤＣメッセージを受信し、ステップ１５０３において、受信されたＡＤＣメッセージに含まれたサブＡＤＣシグナリング情報から受信部で確保すべきバッファの量をアセット毎に区別して確保する。
【００８５】
上述したように、本発明の実施形態に従って、送信部は、送信されるメディアの送信特性を示すパラメータ値を含むＡＤＣシグナリング情報を中間ノード及び受信部に送信する前にアップデートする過程において、アセット当り１つのＡＤＣメッセージのみが許容される場合に、収集されたＡＤＣシグナリング情報を使用するか、又はアセット自体を１つずつ分析する方法で、対応するアセットの時間による送信特性又はアセットの構成単位であるＭＰＵ単位の送信特性値を抽出する。送信部は、ＡＤＣシグナリング情報の抽出が困難であっても、より正確なＡＤＣシグナリング情報の送信を希望する場合には、ＡＤＣシグナリング情報の代表性が高い可変時間単位間隔で送信特性を示すパラメータ値（すなわち、代表特性値）を計算し、これをＡＤＣシグナリング情報に含ませ、新たにアップデートされたバージョンのＡＤＣメッセージを送信する。また、送信部は、ＡＤＣシグナリング情報の有意味性よりもむしろ容易なＡＤＣシグナリング情報の抽出が必要である場合に、ＡＤＣシグナリング情報を所定の固定された時間単位間隔で送信特性を示すパラメータ値を計算し、これをＡＤＣシグナリング情報に含ませ、新たにアップデートされたバージョンのＡＤＣメッセージを送信する。さらに、送信部は、ＡＤＣシグナリング情報の抽出が困難であっても、より正確なＡＤＣシグナリング情報の送信を希望する場合には、ＡＤＣシグナリング情報の代表性が高い可変ＭＰＵ単位間隔で送信特性を示すパラメータ値を計算し、これをＡＤＣシグナリング情報に含ませ、新たにアップデートされたバージョンのＡＤＣメッセージを送信する。また、送信部は、ＡＤＣシグナリング情報の有意味性よりもむしろ容易なＡＤＣシグナリング情報の抽出が必要である場合に、ＡＤＣシグナリング情報を所定の固定されたＭＰＵ単位間隔で送信特性を示す値を計算し、これをＡＤＣシグナリング情報に含ませ、新たにアップデートされたバージョンのＡＤＣメッセージを送信する。
【００８６】
送信部は、サブＡＤＣが許容される場合に、可変時間単位間隔別にコンポーネントアセット送信特性を明示するサブＡＤＣシグナリング情報を生成し、対応するサブＡＤＣシグナリング情報により明示される時間期間情報をサブＡＤＣシグナリング情報ごとにタギングし、そのリストを１つのフルＡＤＣメッセージで構成し、これを同時に送信する。あるいは、送信部は、固定された時間単位間隔別にコンポーネントアセット送信特性を明示するサブＡＤＣシグナリング情報を生成し、対応するサブＡＤＣシグナリング情報により明示される時間期間情報（周期値）をサブＡＤＣシグナリングごとにタギングすることでなく、これを１回のみ含ませ、サブＡＤＣリストを１つのフルＡＤＣメッセージで構成し、これを同時に送信する。あるいは、送信部は、可変ＭＰＵ単位間隔別にコンポーネントアセット送信特性を明示するサブＡＤＣシグナリング情報を生成し、対応するサブＡＤＣシグナリング情報により明示される時間期間情報をサブＡＤＣシグナリング情報ごとにタギングし、そのリストを１つのフルＡＤＣメッセージで構成し、これを同時に送信する。あるいは、送信部は、固定ＭＰＵ単位間隔別にコンポーネントアセット送信特性を明示するサブＡＤＣシグナリング情報を生成し、対応するサブＡＤＣシグナリング情報により明示されるＭＰＵ期間情報（周期値）をサブＡＤＣシグナリング情報ごとにタギングすることでなく、これを１回のみ含ませ、サブＡＤＣリストを１つのフルＡＤＣメッセージで構成し、これを同時に送信する。
【００８７】
本発明の実施形態による中間ノード（例えば、ルータ又はＭＡＮＥ）は、自身が有しているネットワークリソースを管理する時に、中間ノードを通過するＭＭＴパケットをモニタリングし、それからＡＤＣシグナリング情報を含むＡＤＣメッセージを抽出し、アセット当り１つのＡＤＣメッセージのみが許容される場合に、受信されたＡＤＣメッセージ内のバージョン情報を通して、対応するＡＤＣシグナリング情報が現在のトラフィック状況を反映するように新たにアップデートされたＡＤＣシグナリング情報であるか否かを確認する。中間ノードは、ＡＤＣメッセージがアップデートされた場合に、新たなＡＤＣシグナリング情報を対応するアセットの新たな送信特性を示す値でアップデートし、メディア情報であるＡＤＣシグナリング情報に基づいて、アセット毎に必要とされるネットワークレベルにて実際に必要とされるリソースの総量であるＴ’を計算し、メディア情報であるＡＤＣシグナリング情報を用いて、対応するＭＭＴフローに割り当てられたが実際には使用されていない剰余リソースの量である|Ｔ−Ｔ'|を計算し、剰余リソースの量が所定のレベル（しきい）値を超過する場合には、他のトラフィックに割り当てても過負荷とはならないと判定し、他のフローのためのリソース割り当て候補の対象として含ませる。また、中間ノードは、ＡＤＣメッセージ内の周期値又は非周期値を有する有効期間に関する時間情報を用いて、ＡＤＣシグナリング情報がさらにどのくらい有効であるかを判定し、この値を、特定の時間点までに剰余リソースを他のトラフィックに割り当てるか否かを最終的に決定する際に反映する。あるいは、中間ノードは、ＡＤＣメッセージ内の周期値又は非周期値を有するＭＰＵの個数情報又は特定のＭＰＵシーケンス範囲情報を用いて、ＡＤＣシグナリング情報が さらにどのくらい有効であるかを判定し、この値を、特定のＭＰＵが到着するまでに剰余リソースを他のトラフィックに割り当てるか否かを最終的に決定する際に反映し、リソースを使用することが最終に決定された場合には、中間ノードの剰余ネットワークリソースの使用ステータスを把握し、使用可能なネットワークリソースを他のフローに割り当てる。
【００８８】
また、中間ノードは、アセット毎にサブＡＤＣが許容される場合には、ＡＤＣメッセージ内の周期値又は非周期値を有する有効期間に関する時間情報を用いてＡＤＣシグナリング情報が周期値又は非周期値を有する有効期間に対する時間期間毎にどのＡＤＣシグナリング情報を有するかを判定する。中間ノードは、ＡＤＣシグナリング情報を、特定の時間点までに剰余リソースを他のトラフィックに割り当てるか否かを最終的に決定するのに反映し、実際に必要とされるリソースの量を導出する。あるいは、中間ノードは、ＡＤＣメッセージ内の周期値又は非周期値を有するＭＰＵの個数情報又は特定のＭＰＵシーケンス範囲情報を用いて、ＡＤＣシグナリング情報が周期値又は非周期値を有するＭＰＵの個数情報又は特定のＭＰＵシーケンス範囲期間毎にどのＡＤＣシグナリング情報を有するかを判定する。中間ノードは、シグナリング情報を、特定の時間点まで剰余リソースを他のトラフィックに割り当てるか否かを最終的に決定するのに反映し、実際に必要とされるリソースの量を導出する。中間ノードは、ＡＤＣメッセージからマッピングされたアセット毎に必要な実際のリソース量をすべて加算することにより、時間期間毎に又はＭＰＵに従って必要とされる実際のリソース総合計Ｔ'を計算し、現在のＭＭＴフローに割り当てられたＴだけのリソースからアイドルリソース（Ｔ−Ｔ'）を時間期間毎に又はＭＰＵ期間毎に導出した後に、中間ノードのネットワークリソースの使用ステータスを把握し、自身を通過するメディアトラフィックの特性を分析し、使用可能なネットワークリソースを他のトラフィックに割り当てる。
【００８９】
また、本発明の実施形態による受信部は、メディア（例えば、オーディオ又はビデオ）を受信する過程において、メディア送信特性を示す値を含むＡＤＣシグナリング情報を用いて、全ＭＭＴフローでないＭＭＴフロー内のアセット単位毎にＭＭＴ受信部で確保しなければならないバッファの量を決定し、時間／ＭＰＵに従ってアセット毎に必要とされるバッファの確保量をアップデートし調整する。
【００９０】
図１６は、本発明の実施形態によるサブＡＤＣを使用する場合におけるリソース節減効果を示す図である。
【００９１】
本発明の実施形態によると、ネットワーク中間ノードが予め認識できるようにメディアトラフィックの変化特性がＡＤＣメッセージを用いて伝達されることにより、効率的なリソース運用が可能となる。これにより、ＵＨＤコンテンツのようなトラフィックの１つが大量のネットワークリソースを消費する環境において、ネットワークリソースの浪費を減少させることができる。
【００９２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１】
0006537525.tif 000005
【図２】
0006537525.tif 000006
【図３】
0006537525.tif 000007
【図４Ａ】
0006537525.tif 000008
【図４Ｂ】
0006537525.tif 000009
【図５Ａ】
0006537525.tif 000010
【図５Ｂ】
0006537525.tif 000011
【図６】
0006537525.tif 000012
【図７】
0006537525.tif 000013
【図８】
0006537525.tif 000014
【図９】
0006537525.tif 000015
【図１０】
0006537525.tif 000016
【図１１】
0006537525.tif 000017
【図１２】
0006537525.tif 000018
【図１３】
0006537525.tif 000019
【図１４】
0006537525.tif 000020
【図１５】
0006537525.tif 000021
【図１６】
0006537525.tif 000022